(57)【要約】【課題】アプリケーションの設定を行う場合に、ＧＵＩによる操作画面を用いて容易に設定できるようにしたアプリケーションの設定装置を提供する。【解決手段】各種の情報を表示可能な表示部と、複数のアプリケーションソフトに従って所定の業務を処理するとともに、アプリケーションの設定時に設定用ボタンを有するツールバーと複数の処理アイテムとを含む操作画面を表示部に表示する処理部と、表示部に表示された操作画面を入力手段によって操作しアプリケーションの設定を行う入力部とを具備し、入力部の操作によってツールバー上の設定ボタンが選択され、いずれか１つの処理アイテムが指定されたときに、表示部に指定された処理アイテムに関するアプリケーション設定用のダイアログを表示し、このダイアログを用いてアプリケーションの設定を行う。【選択図】  図３
2008186267.tif 000002
【特許請求の範囲】
【請求項１】
各種の情報を表示可能な表示部と、
複数のアプリケーションソフトに従って所定の業務を処理するとともに、アプリケーションの設定時に、設定用ボタンを有するツールバーと複数の処理アイテムとを含む操作画面を前記表示部に表示する処理部と、
前記表示部に表示された前記操作画面を入力手段によって操作し、前記アプリケーションの設定を行う入力部と、を具備し、
前記処理部は、前記入力部の操作によって前記ツールバー上の前記設定ボタンが選択され、いずれか１つの前記処理アイテムが指定されたときに、前記表示部に前記指定された処理アイテムに関するアプリケーション設定用のダイアログを表示し、このダイアログを用いてアプリケーションの設定を行うことを特徴とするアプリケーション設定装置。
【請求項２】
前記入力手段はマウスで成り、前記マウスの操作によって前記操作画面上にカーソルを表示して、前記ツールバー上の前記設定ボタンを選択し、いずれか１つの処理アイテムを指定することを特徴とする請求項１記載のアプリケーション設定装置。
【請求項３】
前記処理部は、前記アプリケーションの設定が可能な複数の設定項目を記憶したテーブルを有することを特徴とする請求項１記載のアプリケーション設定装置。
【請求項４】
前記処理部は、前記アプリケーションの設定時に前記テーブルを参照して、前記指定された処理アイテムについての設定が可能であるか否かを判断することを特徴とする請求項３記載のアプリケーション設定装置。
【請求項５】
前記処理部は、前記テーブルを参照して前記指定された処理アイテムについての設定が可能である場合、ユーザに識別可能に表示することを特徴とする請求項４記載のアプリケーション設定装置。
【請求項６】
前記処理部及び前記入力部は、医用装置の画像観察端末内に設けられたことを特徴とする請求項１記載のアプリケーション設定装置。
【請求項７】
前記処理部及び前記入力部は、医用装置の画像端末内に設けられ、前記操作画面に表示される処理アイテムの１つとして、患者情報に関連するリストの作成アイテムを含むことを特徴とする請求項６記載のアプリケーション設定装置。
【請求項８】
複数のアプリケーションソフトに従って所定の業務を処理する処理装置において、
アプリケーションの設定時に、設定用ボタンを有するツールバーと複数の処理アイテムとを含むグラフィカル・ユーザ・インターフェースによる操作画面を表示し、
入力部の操作によって前記ツールバー上の前記設定ボタンを選択し、前記処理アイテムのうちのいずれか１つを指定することで、前記表示部に前記指定された処理アイテムに関するアプリケーション設定用のダイアログを表示し、
前記設定用のダイアログを用いてアプリケーションの設定を行うことを特徴とするアプリケーション設定方法。
【請求項９】
前記入力部はマウスで成り、前記マウスの操作によって前記操作画面上にカーソルを表示して、前記ツールバー上の前記設定ボタンを選択し、いずれか１つの処理アイテムを指定することを特徴とする請求項８記載のアプリケーション設定方法。
【請求項１０】
前記アプリケーションの設定が可能な複数の設定項目をテーブルに記憶し、
前記アプリケーションの設定時に前記テーブルを参照して、前記指定された処理アイテムについての設定が可能であるか否かを判断することを特徴とする請求項８記載のアプリケーション設定方法。
【請求項１１】
前記テーブルを参照して前記指定された処理アイテムについての設定が可能である場合、ユーザに識別可能に表示することを特徴とする請求項１０記載のアプリケーション設定方法。
【発明の詳細な説明】
【技術分野】
【０００１】
本発明は、ＧＵＩ（グラフィカル・ユーザ・インターフェース）を用いたアプリケーションの設定装置および設定方法に関するものである。
【背景技術】
【０００２】
従来、医用装置としてＸ線ＣＴ装置（Ｘ線コンピュータトモグラフィ装置）、ＭＲＩ装置（磁気共鳴イメージング装置）、超音波診断装置等の様々なモダリティがある。これらのモダリティは、病院内のネットワークを介して医用画像を保管するサーバや、読影装置等の画像観察端末と接続し、各種モダリティと他の医用装置との間で医用画像データや検査情報のやり取りを行うようにしている。
【０００３】
モダリティで取得した医用画像データはサーバに保管され、サーバと画像観察端末は診断目的に応じてネットワークを介して相互に接続され、コンピュータ診断を可能にしている。また、サーバには画像データ以外に患者情報等も保管され、それら画像データや患者情報を、画像観察端末に表示できるようにしている。
【０００４】
画像観察端末では、アプリケーションソフトによって各種の業務を処理するようにしている。例えば、医用画像リストや患者情報のリストを作成したり、作成した医用画像や患者情報のリストを表示するためのアプリケーションソフトが組み込まれ、医師、技師等のユーザの要求によって各種情報を表示部に表示するようにしている。
【０００５】
またアプリケーションの設定を行う場合は、ＧＵＩ（グラフィカル・ユーザ・インターフェース）を用いて画面上に操作画面を表示し、各種の設定を行うようにしている。例えば、医用画像や患者情報のリストの表示項目の追加・削除の設定、画像データを転送する際のサーバの設定、患者情報の編集の可不可設定、言語設定等、各種の設定項目が存在する。
【０００６】
ところで、アプリケーションの設定を行う場合、通常は、画像観察端末の表示部に操作画面を表示し、その操作画面のメニューバーの中から「設定」ボタンを選択し、設定用のダイアログを表示して設定するようにしている。しかしながら医用装置のように設定項目が多い場合は、設定用ダイアログにおける項目や、設定を行うシートが多数存在するため、設定したい項目をすぐに見つけ出すことは容易ではなかった。
【０００７】
例えば患者リストを追加設定する場合は、最初に操作画面を表示し、メニューバーの中から「設定」ボタンを選択し、サブメニューの表示／選択を行って、設定用のダイアログを表示するようにしている。さらに、ダイアログの中から患者リストのタブを選択し、患者リストを表示した上で、患者リストの追加を行うようにしている。このため、設定項目をすぐに見つけ出せるようになるには、かなりの熟練を要していた。
【０００８】
特許文献１には、複数のプログラムから1つを選択して起動する際に、階層化された複数のメニュー画面を作成し、階層が深くても目的のプログラムを素早く起動できるコマンドメニューの表示方法について記載されている。しかしながら、この特許文献１には、アプリケーションの設定を容易にするための手法については記載されていない。
【０００９】
また、特許文献２には、ＭＲＩ装置のスライス領域の設定・変更を行う際の効率を上げるため、サジタル画像上に条件設定用のアイコンを表示し、このアイコンを動かすことでスライス領域の設定を行う例が記載されている。しかしながら、この例はＭＲＩ装置のスライス領域の設定に特化したものに過ぎない。
【特許文献１】特開２００１−３５６８５７号公報
【特許文献２】特開２００３−２９０１７２号公報
【発明の開示】
【発明が解決しようとする課題】
【００１０】
従来のアプリケーションの設定では、メニュー画面を通して設定用のダイアログを表示し、その中から希望のタブを選択して必要な設定を行なうようにしているため、医用装置のように設定項目が多い場合は、設定用ダイアログの項目や設定を行なうシートが多数存在し、設定したい項目をすぐに見つけ出すことが容易ではなかった。
【００１１】
本発明では、アプリケーションの設定を行う場合に、ＧＵＩによる操作画面を用いて容易に設定できるようにしたアプリケーションの設定装置及び設定方法を提供することを目的とする。
【課題を解決するための手段】
【００１２】
請求項1記載の本発明のアプリケーション設定装置は、各種の情報を表示可能な表示部と、複数のアプリケーションソフトに従って所定の業務を処理するとともに、アプリケーションの設定時に、設定用ボタンを有するツールバーと複数の処理アイテムとを含む操作画面を前記表示部に表示する処理部と、前記表示部に表示された前記操作画面を入力手段によって操作し、前記アプリケーションの設定を行う入力部とを具備し、前記処理部は、前記入力部の操作によって前記ツールバー上の前記設定ボタンが選択され、いずれか１つの前記処理アイテムが指定されたときに、前記表示部に前記指定された処理アイテムに関するアプリケーション設定用のダイアログを表示し、このダイアログを用いてアプリケーションの設定を行うことを特徴とする。
【００１３】
また、請求項８記載の本発明のアプリケーション設定方法は、複数のアプリケーションソフトに従って所定の業務を処理する処理装置において、アプリケーションの設定時に設定用ボタンを有するツールバーと複数の処理アイテムとを含むグラフィカル・ユーザ・インターフェースによる操作画面を表示し、入力部の操作によって前記ツールバー上の前記設定ボタンを選択し、前記処理アイテムのうちのいずれか１つを指定することで、前記表示部に前記指定された処理アイテムに関するアプリケーション設定用のダイアログを表示し、前記設定用のダイアログを用いてアプリケーションの設定を行うことを特徴とする。
【発明の効果】
【００１４】
本発明では、医用装置等、多くの設定項目を有するアプリケーションにおいて、設定したい項目をメニュー選択することなしにＧＵＩによる操作画面上より迅速に見つけ出すことができ、設定項目が多い場合であっても、設定したい項目を迅速に発見して設定を容易に行なうことができる。
【発明を実施するための最良の形態】
【００１５】
以下、この発明の一実施の形態について図面を参照して詳細に説明する。
【実施例】
【００１６】
図１は本発明のアプリケーション設定装置が適用された医用システムの構成を示す構成図である。
【００１７】
図１の医用システムは、医用装置として、Ｘ線ＣＴ装置１１、超音波診断装置１２等のモダリティがネットワーク１３に接続され、このネットワーク１３には医用画像データを保管するファイルサーバ１４が接続されている。さらにネットワーク１３には画像観察端末１５、入出力端末１６等が接続されている。
【００１８】
Ｘ線ＣＴ装置１１、超音波装置１２は、医用画像を生成するものであり、画像観察端末１５はファイルサーバ１３に保管された医用画像データや患者情報を取り込んで処理し、各種の情報を表示するものである。また入出力端末１６は、ネットワーク１４上の各装置にログインして情報の入出力を行うＰＣ（Personal Computer）である。
【００１９】
図１のシステムにおいて、医師は、入出力端末１６を利用して例えば射線検査のオーダを出し、技師は、オーダに基づきＸ線ＣＴ装置１１等のモダリティを操作して検査を実施し、これらモダリティで撮影された医用画像データは、ファイルサーバ１３に格納される。またファイルサーバ１３には、患者ＩＤ、患者名、年齢、性別、検査部位等の付帯情報が付されて保存され、付帯情報を基に検索が可能になっている。
【００２０】
また画像観察端末１５は、アプリケーションソフトウェア（以下、アプリケーションソフトと称す） によって各種の業務を処理する。例えば、医用画像リストや患者リストの作成処理や、作成した医用画像リストや患者リストの表示処理、医用画像データや患者情報のファイルサーバ１４への転送処理等、を行うアプリケーションソフトが組み込まれ、ユーザ（医師、技師等）の要求によって各種情報を表示部に表示するようにしている。
【００２１】
またアプリケーションの設定を行うため、ＧＵＩ（グラフィカル・ユーザ・インターフェース）による設定用のソフトウェアを実装し、アプリケーションの設定時に操作画面を表示部に表示し、各種の設定を行う。
【００２２】
ＧＵＩは、ユーザの操作性やユーザに対する情報伝達性能を向上させたもので、マウスとアイコン（またはカーソル）を使ったインターフェースであり、アプリケーションの設定においては、画面上にグラフィック表示されたツールボタン等をマウスでクリックすることでメニューを使わずに処理することができる。
【００２３】
アプリケーションの設定項目としては、患者リストや画像リストの表示項目の追加・削除の設定、画像データを転送する際のサーバの設定、患者情報の編集の可不可設定等、各種の設定項目が存在する。
【００２４】
図２は、画像観察端末１５によってアプリケーションの設定を行う際の操作画面を例示したものである。
【００２５】
画像観察端末１５は、ＧＵＩによりアプリケーション設定用の操作画面２１を表示部１７に表示し、ユーザは、例えばマウスやキーボード等を操作することで、各種の設定を行うことができる。
【００２６】
図２において、２２はメニューバーであり、「ファイル」、「設定」、「ヘルプ」等の選択項目を有している。メニューバー２２は、ソフトウェアの機能や処理内容を表示したものであり、ユーザはマウスをクリックすることで希望する機能を選択することができる。
【００２７】
また、２３はツールバーであり、アプリケーションソフトにより各種の機能を実行する際に利用するものであり、複数のボタンを配列している。本発明では、このツールバー２３にアプリケーションの設定用ボタン２４を予め設けた点に特徴がある。
【００２８】
操作画面２１には、複数の処理アイテム２５１，２５２…が表示されている。例えば２５１は患者リストの作成を意味し、２５２は画像リストの作成を意味している。また２５３は転送ボタンである。またその他の処理アイテム（Ａ，Ｂ，Ｃ…）を示すボタン２５４が表示されている。また、２６はカーソルを示す。
【００２９】
次に、図２の操作画面２１を表示してアプリケーションの設定を行う場合のユーザの操作について説明する。
【００３０】
例えば患者情報の表示、非表示の設定を行う場合について説明すると、先ず、ＧＵＩの操作画面２１が表示されている状態で、ユーザによってツールバー２３上の「設定」ボタン２４が選択されると、アプリケーションは、マウス選択による設定モードに移行する。
【００３１】
このときユーザのマウス操作により、患者リスト２５１のアイテム上にカーソル２６が置かれた場合、アプリケーションは、そのアイテムが設定可能なアイテムか否かを判断し、設定が可能なアイテムであればカーソル２６のグラフィック表示を変化させる。例えばカーソル２６のアイコンの色を変化させる。
【００３２】
この段階でユーザがマウスをクリックして患者リスト２５１を指定することにより、アプリケーションは図３に示すように、患者リスト２５１に関する設定用ダイアログ２７の表示に切り替わる。
【００３３】
設定用ダイアログ２７は、「患者リスト」、「画像リスト」、「転送」等のタブ２８で示される複数のウインドウからなり、カーソル２６により患者リスト２５１のアイテムが指定されると、それに応答して「患者リスト」のウインドウ２９が自動的に表示される。
【００３４】
ユーザは、このウインドウ２９を用いて設定を行い、患者情報のうち表示しても良い情報（例えば患者名と性別）と、非表示とする表示項目（例えば、年齢、生年月日、身長、体重等)の選択を行なう。これにより、患者情報の表示、非表示の設定が行われ、特定のユーザ以外には非表示項目についての表示を禁止するように設定することができる。
【００３５】
また他の設定例として、画像データをファイルサーバ１３に転送する場合の設定方法について説明する。先と同様に、ＧＵＩの操作画面２１が表示されている状態で、ユーザによってツールバー２３の「設定」ボタン２４が選択されると、アプリケーションは、マウス選択による設定モードに移行する。
【００３６】
ユーザのマウス操作により、転送ボタン２５３の上にカーソル２６が置かれた場合、アプリケーションは、転送の設定が可能であればカーソル２６のグラフィック表示を変化させる。
【００３７】
そして転送ボタン２５３上にカーソル２６がある状態で、ユーザがマウスをクリックして転送のアイテムを指定するにより、アプリケーションは図４に示すように転送に関する設定用ダイアログ３０の表示に切り替わる。
【００３８】
設定用ダイアログ３０には、「転送」のウインドウ３１が表示され、ユーザは、このウインドウ３１を用いて設定を行い、転送先のファイルサーバ名を入力し、転送方法を入力する。転送方法としては例えば、ＦＴＰ（File Transfer Protocol）や、ＨＴＴＰ(Hyper Text Transfer Protocol)等の転送プロトコルがあり、希望する転送方法を入力する。或いは医用画像通信規約ＤＩＣＯＭ（Digital Imaging and Communication in Medicine）によりネットワーク通信することも選択可能である。これにより、転送の設定(ファイルサーバ名、転送方式等)が行なれる。
【００３９】
また、図２の操作画面２１において他の処理アイテム（例えば画像リスト２５２）にカーソル２６が置かれた場合、アプリケーションは、そのアイテムに関する設定が可能であればカーソル２６のグラフィック表示を変化させ、ユーザがマウスをクリックすることにより、対応する設定用ダイアログの表示に切り替わる。
【００４０】
図５は、本発明のアプリケーション設定装置４０の構成を示すブロック図である。アプリケーション設定装置４０は、画像観察端末１５に備えられている。
【００４１】
図５において、４１は入力部であり、マウス４２やキーボード(図示せず)等の入力手段が接続されている。４３は、各種の業務を処理する処理部であり、ＣＰＵ４４を有するとともに、各種のアプリケーションを実行するプログラム４５が格納されている。処理部４３は、ＣＰＵ４４の制御のもとにプログラム４５に従って、例えば、医用画像リストや患者リストの作成処理や、作成した医用画像リストや患者リストの表示処理、医用画像や患者情報のファイルサーバへの転送処理等を行う。また、処理部４３にはテーブル４６が設けられており、テーブル４６にはアプリケーションの設定項目が記憶されている。
【００４２】
即ち、マウス４２の操作により、図２の操作画面２１上の設定ボタン２４が選択され、任意の処理アイテム２５１，２５２…にカーソル２６が置かれたとき、ＣＰＵ４４はテーブル４６を参照して、カーソル２６によって指定された処理アイテムが設定項目として含まれているか否かを判断する。４７は、処理部４３での処理結果やアプリケーションの設定用画像等、各種の情報を表示する表示部である。
【００４３】
次に図６のフローチャートを参照して、アプリケーションの設定手順について説明する。図６において、ステップＳ１は操作画面２１の表示ステップであり、ユーザがアプリケーションの設定を指示すると表示部４７にはＧＵＩによる操作画面２１（図２）が表示される。
【００４４】
ユーザが、マウス４２を操作して図２のツールバー２３の「設定」ボタン２４を選択すると、次のステップＳ２では、「設定」ボタン２４が選択されたことを判断し、次のステップＳ３に移行する。
【００４５】
ユーザがマウス４２を操作して、操作画面２１上のいずれかの処理アイテム（２５１，２５２…）にカーソル２６を置くと、ステップＳ３では、カーソル２６によってどのアイテムが選択されたかを判断し、ＣＰＵ４４は、ステップＳ４においてテーブル４６を参照して選択された処理アイテムが設定項目に含まれているかを探し出す。
【００４６】
選択された処理アイテムが設定項目に含まれている場合は、カーソル２６のグラフィック表示を変化させる。この状態でユーザがマウス４２をクリックすると、処理アイテムが指定され、ステップＳ５では指定された処理アイテムに関して設定用のダイアログを表示し、図３のダイアログ２７（又は図４のダイアログ３０）を表示する。
【００４７】
このときは、カーソル２６により指定された処理アイテムに関するタブ２８のウインドウ２９（又は３１）が表示され、次のステップＳ６ではアプリケーションの設定操作が行われる。こうしてユーザは、ＧＵＩによる画面を見ながらマウス４２の操作を行うことにより、アプリケーションの設定を行うことができる。
【００４８】
このように、本発明のアプリケーション設定装置によれば、設定したい項目をメニュー選択することなしに、ＧＵＩによる操作画面から迅速に見つけ出すことができる。特に多数の設定項目がある医用装置にあっては有効であり、各種のアプリケーションの設定を容易に行うことができる。
【００４９】
また、以上の説明では医用装置について説明したが、医用装置以外の画像端末に適用することもでき、特許請求の範囲を逸脱しない範囲で種々の変形が可能である。
【図面の簡単な説明】
【００５０】
【図１】本発明に係る医用システムの一実施形態を示すネットワーク図。
【図２】本発明のアプリケーション設定装置による操作画面の一例を示す説明図。
【図３】本発明のアプリケーション設定装置による設定用ダイアログの一例を示す説明図。
【図４】本発明のアプリケーション設定装置による設定用ダイアログの他の例を示す説明図。
【図５】本発明のアプリケーション設定装置の構成を示すブロック図。
【図６】本発明におけるアプリケーション設定手順を説明するフローチャート。
【符号の説明】
【００５１】
１０…ネットワーク
１１…Ｘ線ＣＴ装置（医用装置）
１２…超音波診断装置（医用装置）
１３…ネットワーク
１４…ファイルサーバ
１５…画像観察端末
１６…入出力装置
２１…操作画面
２３…ツールバー
２４…設定ボタン
２５１，２５２，２５３…処理アイテム
２６…カーソル
２７，３０…設定用ダイアログ
２８…タブ
２９，３１…ウインドウ
４０…アプリケーション設定装置
４１…入力部
４２…マウス
４３…処理部
４４…ＣＰＵ
４５…プログラム
４６…テーブル
４７…表示部
【図１】
2008186267.tif 000003
【図２】
2008186267.tif 000004
【図３】
2008186267.tif 000005
【図４】
2008186267.tif 000006
【図５】
2008186267.tif 000007
【図６】
2008186267.tif 000008